(57)【要約】【課題】  メダルの排出口を異なる位置に形成すると共にメダルの排出口とメダル回収装置の回収口とを取り付けたときに生じる隙間を小さくする。【解決手段】  スロットマシンの右下部の内側に外周部を連続した溝１０２で形成された二つの凸部１０１ａ,１０１ｂからなる排出口形成部１００を形成する。このスロットマシンをメダル回収装置が設置された遊技場に設置するときには、メダル回収装置の回収口と略整合する凸部のいずれか若しくは双方を打ち抜いてメダルの排出口を形成し、この上に底板９９を取り除いた状態でメダル回収箱９８を配置する。このメダル回収箱９８に導入されたメダルは、排出口を介して回収口から回収される。この結果、回収口に合わせて排出口を異なる位置に形成することができると共に排出口と回収口とを取り付けたときに生じる隙間を小さくすることができる。【選択図】        図３
2008183467.tif 000002
【特許請求の範囲】
【請求項１】
遊技用媒体を用いる遊技機であって、
内部に前記遊技用媒体を貯留する媒体貯留部と、
該媒体貯留部が所定の貯留状態のときに該媒体貯留部に貯留される遊技用媒体
の少なくとも一部を外部に排出するための排出口を異なる位置および／または異
なる大きさに形成可能な排出口形成部と、
を備える遊技機。
【発明の詳細な説明】
【技術分野】
【０００１】
本発明は、遊技機に関する。
【背景技術】
【０００２】
従来、この種の遊技機としては、スロットマシン内部に装着されたホッパに貯
留されているメダルが所定量を超えたときに、投入されたメダルを連絡部材を介
して外部に排出するための排出口が筐体底面に単一の貫通孔として形成されるも
のが提案されている。こうしたスロットマシンを設置する遊技場の一部では、ス
ロットマシンの排出口に回収装置の回収口を取り付けてメダルを回収している。
また、回収装置を用いない遊技場では、連絡部材の代わりに排出口の上に排出口
を塞ぐようメダルを回収する回収箱を配置し、この回収箱に貯えられたメダルの
満載を確認するセンサに基づいて手動でメダルを回収している。
【発明の開示】
【発明が解決しようとする課題】
【０００３】
しかしながら、こうしたスロットマシンでは、筐体底面に生じた隙間から内部
に異物が混入して誤動作を生じる場合がある。スロットマシンの排出口は、遊技
場毎に設置された回収装置の回収口の取り付け位置が異なるため、なるべく多く
の遊技場の回収口に適応するよう大き目に形成されている。このため、排出口よ
り小さな回収口を取り付けるときには、筐体底面に隙間が生じてしまう。また、
排出口と回収口の位置が全く合わないときには、排出口を追加工しなければなら
ない。
【０００４】
本発明の遊技機は、メダルの排出口を異なる位置に形成することを目的の一つ
とする。また、本発明の遊技機は、メダルの排出口と遊技場に設置されたメダル
回収装置の回収口とを取り付けたときに生じる隙間を小さくすることを目的の一
つとする。さらに、本発明の遊技機は、遊技場に設置されたメダル回収装置の回
収口への取り付け作業を容易にすることを目的の一つとする。
【課題を解決するための手段およびその作用・効果】
【０００５】
本発明の遊技機は、上述の目的の少なくとも一部を達成するために以下の手段
を採った。
【０００６】
手段１．本発明の遊技機は、
遊技用媒体を用いる遊技機であって、
内部に前記遊技用媒体を貯留する媒体貯留部と、
該媒体貯留部が所定の貯留状態のときに該媒体貯留部に貯留される遊技用媒体
の少なくとも一部を外部に排出するための排出口を異なる位置および／または異
なる大きさに形成可能な排出口形成部と、
を備えることを要旨とする。
【０００７】
本発明の遊技機では、媒体貯留部に貯留される遊技用媒体の少なくとも一部を
外部に排出するための排出口を異なる位置や異なる大きさに形成できるから、遊
技用媒体を回収するために設置された回収装置の回収口の位置に応じて排出口を
形成することができる。従って、回収装置の回収口と排出口との整合性をより良
好にすることができる。この結果、底面に生じる排出口の隙間を小さくすること
ができるから遊技機内部に異物が混入することに伴って生じる誤動作の発生確率
も低くすることができる。
【０００８】
手段２．手段１記載の遊技機であって、前記排出口形成部は、外周部が連続し
た溝で形成された複数の凸部で形成されてなる遊技機。こうすれば、いずれかの
凸部を外周部の溝に沿って容易に打ち抜くことができる。
【０００９】
手段３．手段２記載の遊技機であって、前記複数の凸部は、複数の平行なリブ
として形成されてなる遊技機。こうすれば、打ち抜くリブの位置と数により形成
する排出口の位置と大きさとを調整することができる。
【００１０】
手段４．手段２記載の遊技機であって、前記複数の凸部は、隣接する二つの凸
部により形成されてなる遊技機。こうすれば、二つの凸部の一方だけを打ち抜く
場合と、両方を打ち抜く場合との計３種類の排出口を形成することができる。
【００１１】
手段５．手段４記載の遊技機であって、前記二つの凸部は、互いに隣接する方
向に向かって厚みが薄くなるよう形成されてなる遊技機。こうした遊技機では、
媒体貯留部から排出口へ遊技用媒体を連絡する排出口形成部全体を囲うように形
成された連絡部材を用いて二つの凸部のうち一方を打ち抜いて形成された形状で
排出口から媒体を排出するときには、打ち抜かれなかった他方の凸部が排出口に
向かって下方に傾斜しているから、傾斜上、即ち、他方の凸部上の遊技用媒体を
よりスムースに排出口に導くことができる。
【００１２】
手段６．手段１ないし５いずれか記載の遊技機であって、前記排出口形成部は
、前記遊技機の底部の内側に形成されてなる遊技機。こうすれば、底部から遊技
用媒体を回収する遊技場に適応させることができる。
【００１３】
手段７．手段１ないし５いずれか記載の遊技機であって、前記排出口形成部は
、前記遊技機の外周側部の内側に形成されてなる遊技機。こうすれば、外周側部
から遊技用媒体を回収する遊技場に適応させることができる。
【００１４】
手段８．手段１ないし７いずれか記載の遊技機であって、前記所定の貯留状態
は、前記媒体貯留部に遊技用媒体が満載に近い状態である遊技機。こうすれば、
媒体貯留部を遊技用媒体が満載に近い状態を超えないように調整することができ
る。
【００１５】
手段９．手段１ないし８いずれか記載の遊技機であって、前記媒体貯留部から
前記排出口まで遊技用媒体を誘導する媒体誘導部材を備える遊技機。こうすれば
、遊技用媒体の排出性を向上させることができる。
【００１６】
手段１０．手段１ないし９いずれか記載の遊技機であって、前記遊技機はスロ
ットマシンである遊技機。こうした本発明の遊技機としてのスロットマシンの基
本構成としては、「遊技状態に応じてその遊技状態を識別させるための複数の識
別要素からなる識別要素列を変動表示した後に識別要素を確定表示する表示手段
を備え、始動用操作手段（例えば操作レバー）の操作に起因して識別要素の変動
が開始され、停止用操作手段（例えばストップボタン）の操作に起因してあるい
は所定時間経過することにより識別要素の変動が停止され、その停止時の確定識
別要素が特定識別要素であることを必要条件として遊技者に有利な特別遊技状態
を発生させる特別遊技状態発生手段とを備える遊技機」を挙げることができる。
この場合、遊技用媒体はコイン、メダル等が代表例として挙げられる。こうした
スロットマシンにおいて、少なくとも多数個の遊技用媒体例えばコイン、メダル
等を取得できる遊技者に有利な状態である特別遊技状態（大当り状態）と遊技用
媒体を消費する遊技者に不利な状態である通常遊技状態とが存在するものとする
こともできる。
【００１７】
手段１１．手段１ないし９いずれか記載の遊技機であって、前記遊技機はパチ
ンコ機である遊技機。パチンコ機の基本構成としては、操作ハンドルを備えてお
りそのハンドル操作に応じて遊技球を所定の遊技領域に発射させ、遊技球が遊技
領域の所定の位置に配置された作動口に入賞することを必要条件として表示手段
における識別要素の変動表示が開始すること、また、特別遊技状態発生中には遊
技領域内の所定の位置に配置された入賞口が所定の態様で開放されて遊技球を入
賞可能として、その入賞個数に応じた有価価値（景品球のみならず、磁気カード
への書き込む等も含む）が付与されること等挙げられる。なお、こうしたパチン
コ機には、少なくとも他数個の遊技球を取得できる遊技者に有利な状態である特
別遊技状態（大当り状態）と、遊技球を消費する遊技者に不利な状態である普通
遊技状態とが存在するものとすることができる。ここで、「遊技用媒体」として
は、遊技球が相当する。
【００１８】
手段１２．手段１ないし９いずれか記載の遊技機であって、前記遊技機はパチ
ンコ機とスロットマシンとを融合させてなる遊技機。このパチンコ機とスロット
マシンを融合させた遊技機の基本構成としては、「遊技状態に応じてその遊技状
態を識別させるための複数の識別要素からなる識別要素列を変動表示した後に識
別要素を確定表示する表示手段を備え、始動用操作手段（例えば操作レバー）の
操作に起因して識別要素の変動が開始され、停止用操作手段（例えばストップボ
タン）の操作に起因してあるいは所定時間経過することにより識別要素の変動が
停止され、その停止時の確定識別要素が特定識別要素であることを必要条件とし
て遊技者に有利な特別遊技状態を発生させる特別遊技状態発生手段とを備え、遊
技用媒体として遊技球を使用すると共に識別要素の変動開始に際しては所定数の
遊技球を必要とし、特別遊技状態の発生に際しては多くの遊技球が払い出される
よう構成されてなる遊技機」を挙げることができる。こうした遊技機には、少な
くとも多数個の遊技球を取得できる遊技者に有利な状態である特別遊技状態（大
当り状態）と、遊技球を消費する遊技者に不利な状態である普通遊技状態の２種
類の遊技状態とが存在するものとすることもできる。ここで、「遊技用媒体」と
しては、遊技球を使うときは遊技球が、コイン、メダルを使うときはコイン、メ
ダルが相当する。
【００１９】
手段１０ないし１２に記載したように、本発明の遊技機用としては、スロット
マシンやパチンコ機、パチンコ機とスロットマシンとを融合させてなる遊技機な
どを挙げることができるが、この他、種々の遊技機に適応することもできる。
【発明を実施するための最良の形態】
【００２０】
次に、本発明の実施の形態を実施例を用いて説明する。図１は本発明の一実施
例であるスロットマシン１０の前面扉１２を閉じた状態の斜視図である。図２は
実施例のスロットマシン１０の前面扉１２を開いた状態の斜視図である。実施例
のスロットマシン１０は、前面扉１２がその左辺を回動軸として本体１１に回動
可能に取り付けられ、前面扉１２を閉じた状態で施錠装置２０により前面扉１２
と本体１１とを施錠できるようになっている。前面扉１２には、遊技の進行に伴
い点灯したり点滅したりする上部ランプ１３や、遊技の進行に伴い種々の効果音
を鳴らしたり遊技者に遊技状態を報知したりするスピーカ１４，１４、遊技内容
などの各種の表示をする上段表示パネル１５、左回胴Ｌと中回胴Ｍと右回胴Ｒを
それぞれ透視可能な露出窓３１Ｌ，３１Ｍ，３１Ｒやメダルのベット数に応じて
点灯する５つのベットランプ３２，３３，３３，３４，３４，クレジット枚数表
示部３５，ゲーム数表示部３６，払出枚数表示部３７，などが設けられた中段表
示パネル３０、略中段付近にて各種ボタン５１，５３〜５６，６１〜６３，やス
タートレバー５２やメダル投入口５７が設けられた操作部５０、機種名や遊技に
関するキャラクタなどが表示された下段表示パネル１６、メダルの払出口１７か
ら払出されたメダルを受けるメダル受け皿１８などが装着されている。また、ス
ロットマシン１０の内部には、図２に示すように、電源スチッチ８１やリセット
スイッチ８２や設定キースイッチ孔８３などが配置された電源ボックス８５、メ
ダルを貯留する補助タンク８７とこの補助タンク８７内のあふれるメダルを排出
する排出シュート６４と補助タンク８７内のメダルを払出用通路９２に通じる開
口９３を介してメダル払出口１７へ払出す払出装置８８とから構成されたホッパ
８６、ホッパ８６の隣に配置され排出シュート６４から排出されたメダルを回収
するメダル回収箱９８と、スロットマシン１０の遊技を制御する制御装置７０な
どが装着されている。
【００２１】
図３は、図２の矢印線Ａに沿ってスロットマシン１０の本体１１右下部を内側
からみたときの部分説明図である。図３に示すように、本体１１の右下部の内側
には、外周部を連続した溝１０２で形成された二つの凸部１０１ａ,１０１ｂか
らなる排出口形成部１００が形成されており、その上部には、底部に形成された
排出口形成部１００と略同等の大きさの貫通孔９７を塞ぐ底板９９を有するメダ
ル回収箱９８が設置されるようスペースが設けられている。
【００２２】
図４は、スロットマシン１０をメダル回収装置の回収口１１０が凸部１０１ｂ
と略整合する位置に配置されている遊技場に設置したときの状態を示す説明図で
ある。こうした遊技場では、図示するように、回収口１１０に整合する凸部１０
１ｂを打ち抜いて排出口１０５を形成すると共にその上に底板９９を取り外した
状態でメダル回収箱９８を配置してスロットマシン１０を設置する。これにより
、排出シュート６４から排出されるメダルは、メダル回収箱９８を介し排出口１
０５を通過して回収口１１０から回収される。また、メダル回収箱９８内では、
凸部１０１ａの上に若干のメダルが貯まるものの全体としては全てのメダルを回
収口１１０に導くから、メダル回収箱９８はメダルを排出口１０５に誘導する誘
導部材として機能するものといえる。
【００２３】
図５と図６は、スロットマシン１０を異なる遊技場に設置するときの一例を示
す説明図である。図５に示すように、メダル回収装置の回収口１１０が凸部１０
１ａと略整合する位置に配置されている遊技場では、凸部１０１ａを打ち抜いて
排出口１０５を形成し、図６に示すように、回収口１１０が排出口形成部１００
の全体と略整合する位置に配置されている遊技場では、凸部１０１ａ，１０１ｂ
の両方を打ち抜いて排出口１０５を形成する。なお、図６に例示した遊技場にス
ロットマシン１０を設置するときには、凸部１０１ａ，１０１ｂの両方を打ち抜
かなくてもどちらか一方を打ち抜いて排出口１０５を形成するものとしてもよい
。
【００２４】
なお、メダル回収装置を用いない遊技場では、凸部１０１ａ，１０１ｂの両方
とも打ち抜かない状態のままメダル回収箱９８の底部に底板９９を取り付けてス
ロットマシン１０を設置する。この場合、排出シュート６４から排出されるメダ
ルはメダル回収箱９８内に貯留される。メダル回収箱９８に貯留されるメダルは
、図３および図４に示すように、本体１１背面内側に取り付けられた導電体の二
本のセンサ棒１０３により知らされる回収時期に手動で回収される。
【００２５】
以上説明した実施例のスロットマシン１０によれば、外周部を連続した溝１０
２により形成された簡単に打ち抜き可能な二つの凸部１０１ａ，１０１ｂにより
排出口形成部１００を形成することにより、遊技場に設置された回収装置の回収
口１１０の位置と大きさに合わせて排出口１０５を形成することができる。従っ
て、回収口１１０と排出口１０５との整合性をより良好にすることができる。こ
の結果、本体１１底面に生じる排出口１０５の隙間を小さくできるから、スロッ
トマシン１０内部への異物混入に伴って生じる誤動作の発生確率も低くすること
ができる。また、凸部１０１ａ，１０１ｂを打ち抜くだけで排出口１０５を形成
することができるから回収口１１０への取り付け作業を容易にすることができる
。
【００２６】
実施例のスロットマシン１０では、排出口形成部１００の二つの凸部１０１ａ
，１０１ｂを本体１１の底板の板厚と同一の厚みとなるように形成したが、図７
に示すように、隣接する方向に向かって厚みが薄くなるように形成された二つの
凸部２０１ａ，２０１ｂにより排出口形成部２００を形成するものとしてもよい
。この場合、凸部２０１ａの上のメダルは、凸部２０１ａの傾斜により排出口２
０５に誘導されるからスムースに回収される。
【００２７】
実施例のスロットマシン１０では、外周部を連続した溝１０２により形成され
た二つの凸部１０１ａ，１０１ｂにより排出口形成部１００を形成するものとし
たが、凸部の数は如何なる数で形成してもよいし、凸部の形状は如何なる形状で
形成するものとしてもよい。例えば、図８に示すように、外周部を連続した溝３
０２で形成された複数のリブ３０１ａ〜３０１ｈにより排出口形成部３００を形
成してもよい。こうすれば、打ち抜くリブの位置と数により排出口形成部３００
の範囲内で数種類の排出口３０５を形成することができる。
【００２８】
実施例のスロットマシン１０では、本体１１右下部の内面に排出口形成部１０
０を形成するものとしたが、排出口形成部の形成場所は、本体１１外周側部の内
面に形成してもよいし、本体１１の内面であればその他の場所に形成するものと
してもよい。
【００２９】
実施例では、本発明の形態の一つとしてスロットマシンを例にとって説明した
が、本発明が適用可能な遊技機はスロットマシンに限定されるものではなく、所
定の条件に伴って遊技用媒体の払出しを行なう全ての遊技機、例えばパチンコ機
やパチンコ機とスロットマシンを融合させた遊技機などにも適用することができ
るのは勿論である。このスロットマシンの基本構成としては、「遊技状態に応じ
てその遊技状態を識別させるための複数の識別要素からなる識別要素列を変動表
示した後に識別要素を確定表示する表示手段を備え、始動用操作手段（例えば操
作レバー）の操作に起因して識別要素の変動が開始され、停止用操作手段（例え
ばストップボタン）の操作に起因してあるいは所定時間経過することにより識別
要素の変動が停止され、その停止時の確定識別要素が特定識別要素であることを
必要条件として遊技者に有利な特別遊技状態を発生させる特別遊技状態発生手段
とを備える遊技機」を挙げることができる。この場合、遊技用媒体はコイン、メ
ダル等が代表例として挙げられる。こうしたスロットマシンにおいて、少なくと
も多数個の遊技用媒体例えばコイン、メダル等を取得できる遊技者に有利な状態
である特別遊技状態（大当り状態）と遊技用媒体を消費する遊技者に不利な状態
である通常遊技状態とが存在するものとすることもできる。またパチンコ機の基
本構成としては、操作ハンドルを備えておりそのハンドル操作に応じて遊技球を
所定の遊技領域に発射させ、遊技球が遊技領域の所定の位置に配置された作動口
に入賞することを必要条件として表示手段における識別要素の変動表示が開始す
ること、また、特別遊技状態発生中には遊技領域内の所定の位置に配置された入
賞口が所定の態様で開放されて遊技球を入賞可能として、その入賞個数に応じた
有価価値（景品球のみならず、磁気カードへの書き込む等も含む）が付与される
こと等挙げられる。なお、こうしたパチンコ機には、少なくとも他数個の遊技球
を取得できる遊技者に有利な状態である特別遊技状態（大当り状態）と、遊技球
を消費する遊技者に不利な状態である普通遊技状態とが存在するものとすること
ができる。ここで、「遊技用媒体」としては、遊技球が相当する。さらにパチン
コ機とスロットマシンとを融合させてなる遊技機の基本構成としては、「遊技状
態に応じてその遊技状態を識別させるための複数の識別要素からなる識別要素列
を変動表示した後に識別要素を確定表示する表示手段を備え、始動用操作手段（
例えば操作レバー）の操作に起因して識別要素の変動が開始され、停止用操作手
段（例えばストップボタン）の操作に起因してあるいは所定時間経過することに
より識別要素の変動が停止され、その停止時の確定識別要素が特定識別要素であ
ることを必要条件として遊技者に有利な特別遊技状態を発生させる特別遊技状態
発生手段とを備え、遊技用媒体として遊技球を使用すると共に識別要素の変動開
始に際しては所定数の遊技球を必要とし、特別遊技状態の発生に際しては多くの
遊技球が払い出されるよう構成されてなる遊技機」を挙げることができる。こう
した遊技機には、少なくとも多数個の遊技球を取得できる遊技者に有利な状態で
ある特別遊技状態（大当り状態）と、遊技球を消費する遊技者に不利な状態であ
る普通遊技状態の２種類の遊技状態とが存在するものとすることもできる。ここ
で、「遊技用媒体」としては、遊技球を使うときは遊技球が、コイン、メダルを
使うときはコイン、メダルが相当する。
【００３０】
以上、本発明の実施の形態について実施例を用いて説明したが、本発明はこう
した実施例に何等限定されるものではなく、本発明の要旨を逸脱しない範囲内に
おいて、種々なる形態で実施し得ることは勿論である。
【図面の簡単な説明】
【００３１】
【図１】本実施例のスロットマシンの前面扉を閉じた状態の斜視図である。
【図２】本実施形態のスロットマシンの前面扉を開いた状態の斜視図である。
【図３】図２の矢印線Ａに沿ってスロットマシン１０の本体１１右下部を内側からみたときの部分説明図である。
【図４】スロットマシン１０をメダル回収装置を備える遊技場に設置したときの状態の一例を示す説明図である。
【図５】スロットマシン１０をメダル回収装置を備える遊技場に設置したときの状態の一例を示す説明図である。
【図６】スロットマシン１０をメダル回収装置を備える遊技場に設置したときの状態の一例を示す説明図である。
【図７】変形例のスロットマシンをメダル回収装置を備える遊技場に設置したときの状態の一例を示す説明図である。
【図８】複数の平行なリブで形成された排出口形成部を示す説明図である。
【符号の説明】
【００３２】
１０…スロットマシン、１１…本体、１２…前面扉、１３…上部ランプ、１４…
スピーカ、１５…上段表示パネル、１６…下段表示パネル、１７…メダル払出口
、１８…メダル受け皿、２０…施錠装置、３０…中断表示パネル、３１Ｌ，３１
Ｍ，３１Ｒ…露出窓、３２…１枚ベットランプ、３３…２枚ベットランプ、３４
…３枚ベットランプ、３５…クレジット枚数表示部、３６…ゲーム数表示部、３
７…払出枚数表示部、５０…操作部、５１…クレジットボタン、５２…スタート
レバー、５２ａ…スタートスイッチ、５３…左回胴用ストップボタン、５４…中
回胴用ストップボタン、５５…右回胴用ストップボタン、５６…返却ボタン、５
７…メダル投入口、６１…１枚ベットボタン、６２…２枚ベットボタン、６３…
マックスベットボタン、６４…排出シュート、７０…制御装置、８１…電源スイ
ッチ、８２…リセットスイッチ、８３…設定キー挿入孔、８５…電源ボックス、
８６…ホッパ、８７…補助タンク、８８…払出装置、９２…払出用通路、９３…
開口、９７…貫通孔、９８…メダル回収箱、９９…底板、１００，２００，３０
０…排出口形成部、１０１ａ，１０１ｂ，２０１ａ，２０１ｂ，３０１ａ〜３０
１ｈ…凸部、１０２，２０２，３０２…溝、１０３…導電棒、１０５，２０５，
３０５…排出口、１１０…回収口、Ｌ…左回胴、Ｍ…中回胴、Ｒ…右回胴。
【図１】
2008183467.tif 000003
【図２】
2008183467.tif 000004
【図３】
2008183467.tif 000005
【図４】
2008183467.tif 000006
【図５】
2008183467.tif 000007
【図６】
2008183467.tif 000008
【図７】
2008183467.tif 000009
【図８】
2008183467.tif 000010